(57)【特許請求の範囲】
【請求項１】
空気調和機の通風回路内に設置されているフィルターの前面に、ブラシと前記ブラシを空気調和機のフィルター表面に沿って往復移動させることができる移動手段を有し、ブラシがフィルター端面で折り返す所付近にブラシに付着したごみ・埃などを取り除く櫛を有しており、前記の櫛はブラシの初期進行方向側に傾けて取り付けている空気調和機用フィルターの除塵装置。
【請求項２】
上記ブラシが初期移動方向に対し、鋭角になる様に取り付けた事を特長とした請求項１に記載の空気調和機用フィルターの除塵装置。
【請求項３】
空気調和機の通風回路内に設置されているフィルターの表面に堆積した、ごみ・埃などを回収した後、一時的に溜めておく脱着可能なボックスを有する請求項１または請求項２に記載の空気調和機用フィルターの除塵装置。
【請求項４】
上記ブラシが回転ブラシである事を特長とした請求項１または請求項３に記載の空気調和機用フィルターの除塵装置。
【発明の詳細な説明】
【０００１】
【発明の属する技術分野】
本発明は、集塵を目的としたフィルターの掃除を行なうために設けられた、空気調和機用のフィルターの除塵装置に関するものである。
【０００２】
【従来の技術】
従来、空気調和機には、機器の通風回路内にごみや埃が詰まり、性能を低下させないように集塵を目的とした脱着可能なフィルターが設置されており、定期的にこのフィルターを取り外して水洗いや掃除機でごみや埃を除去掃除していた。
【０００３】
【発明が解決しようとする課題】
しかしながら、上記従来の構成では、高所に取り付けられている場合はフィルターを取り外す際に顔や身体に埃などが落ちてきたり、手が汚れたりして不衛生であった。そこで特開平７−８８３１３号公報記載のようなフィルターを取り外さずに水で自動洗浄するもが考案されているが、この場合水タンクに常時水を入れておく必要があり手間がかかる。また、水が汚れてくると汚染したりする場合もあり、水漏れの可能性もあるという課題を有していた。
【０００４】
本発明はこのような従来の課題を解決するものであり、フィルターを取り外すことなくフィルター掃除ができ、常に清浄な状態での運転を可能にした空気調和機用フィルター除塵装置を提供することを目的とする。
【０００５】
【課題を解決するための手段】
上記課題を解決するために本発明は、フィルターに堆積した、ごみや埃をブラシでかき落とす機構を有した空調機用フィルターの除塵装置であり、前記機構によって人による掃除が不要となる。したがってフィルターを取り外す際に顔や身体に埃などが落ちてきたり、手が汚れたりして不衛生になることもなく、また水も使わない為、水を補給する手間もなく、水漏れで床を汚す心配もない。
【０００６】
【発明の実施の形態】
上記課題を解決する為の請求項１に記載の発明は、フィルターの前面に上下に移動するブラシを設置したものである。そしてこの構成によれば、上記フィルター表面にごみや埃が堆積すると上から下にブラシを移動させてごみや埃を除去回収し、除去回収したごみや埃は熱交換器の凝縮水用水受け皿に落下し、落下したごみや埃は熱交換器の凝縮水で屋外へ排出される。
【０００７】
また、ブラシはフィルターの下まで移動し、上へ戻る時にブラシに付着したごみや埃を完全に取り除く為、櫛がブラシのごみを掻き取る構造になっている。
【０００８】
請求項２に記載の発明は、ブラシがごみや埃を取りながら下へ移動する際、ごみや埃の回収効率を良くする為、ブラシを移動方向に対し鋭角になる様に取り付けられている。
【０００９】
請求項３に記載の発明は、移動するブラシにて除去回収したごみや埃を熱交換器の凝縮水用水受け皿に落下させず、脱着可能な専用の回収ボックスをフィルターの下に設置したものである。そしてこの構成によれば、ブラシで除去したごみや埃を一ヶ所に回収でき、溜まってからまとめて捨てることができる。
【００１０】
請求項４に記載の発明は、ブラシを回転させてフィルターに堆積したごみや埃の除去性能を向上するようにしたものであり、この時のブラシの回転方向は進行方向に対し逆方向に回転する事でごみや埃の除去効率を向上している。
【００１１】
また、回転ブラシがフィルターの一番下まで移動し、次に上に移動する時は回転ブラシを逆回転することでブラシに付着したごみや埃を櫛で効率よく取り除くことができる。
【００１２】
請求項５に記載の発明は、ブラシを固定し、フィルターを移動させるようにすることで空気調和機本体の前後方向（奥行き）の厚みを少なくし省スペース化するものである。
【００１３】
【実施例】
以下本発明の実施例について図面を参照して説明する。
【００１４】
（実施例１）
図１において、１ａは集塵装置、２ａはブラシ、３は駆動モータ、４はレ−ル、５は櫛である。
【００１５】
図２は集塵装置１ａを空気調和機内に設置してあるフィルター６の前面に添うように設置した時の断面図であり、ブラシ２ａは初期状態で集塵装置１ａの上側
に位置している。
【００１６】
上記構成において、フィルター６にごみや埃が堆積したら集塵装置１ａのブラシ２ａが駆動モータ３により、レール４上に沿って移動し、フィルター６に堆積
したごみや埃をこすり落としながら下側へ移動した後、上側の定位置まで移動する。
【００１７】
この時、ブラシでかき集めたごみや埃はブラシに絡み付き取れなくなることを防止する為にレール４の下方に櫛５を下側に傾けて設置することでブラシが定位置に戻る時、櫛５がブラシに付着したごみや埃を取り除くことができる。
【００１８】
（実施例２）
図３においてブラシ２ｂは、下方への移動方向に対し鋭角になる様に取り付けられている。これによりブラシ２ｂは、フィルター６表面のごみや埃をかき取る
効果が出るため下方へ移動する際、ごみや埃の回収効率を良くする事ができる。
【００１９】
（実施例３）
図４において７はブラシでかき集めたごみや埃を回収する脱着可能なごみ回収ボックスであり、集塵装置１とフィルター６の下側に設置した時の断面図である。
【００２０】
そして、この実施例によれば、ブラシで除去したごみや埃を一ヶ所に回収でき、溜まってからまとめて捨てることができ、また掃除も簡単で清潔な状態を保つことができる。
【００２１】
（実施例４）
図５は、ブラシを回転ブラシ２ｃにしたもので構成される集塵装置１である。
【００２２】
回転ブラシ２ｃはフィルター６を叩く作用も加わりさらにごみや埃の集塵効率を向上させることができる。
【００２３】
（実施例５）
図６は、可動フィルター８の端面に前記可動フィルター８の巻き取り装置９を取付け、可動フィルター８を上下にスライドするようにしたものである。
【００２４】
図７は、集塵装置１ｂであり、固定ブラシ１０はガイド１１に固定されており、可動フィルター８が巻き取り装置９によりスライドすることでごみや埃は固定ブラシ１０でかき取られる。この構成によれば集塵装置１のレール４が無くなり空気調和機の前後の厚み（奥行き）を薄くする事ができ軽量化、省スペース化が可能となる。
【００２５】
【発明の効果】
上記実施例から明らかなように、請求項１に記載の発明は、フィルターの前面に上下に移動するブラシを設置したものである。そしてこの構成によれば、フィルター表面にごみや埃が堆積すると上下にブラシを移動させてごみや埃を除去することができる。
【００２６】
請求項２に記載の発明は、ブラシを移動方向に対し鋭角になる様に取付けてごみや埃の回収効率を向上させたものである。
【００２７】
請求項３に記載の発明は、除塵装置の下側に回収ボックスを設置したものである。そしてこの構成によれば、ブラシで除去したごみや埃を一ヶ所に回収でき、溜まってからまとめて捨てることができ回収ボックス内の掃除も簡単にできる。
【００２８】
請求項４に記載の発明は、ブラシを回転させてフィルター表面のごみや埃の除去性能を向上するようにしたものである。
【００２９】
請求項５に記載の発明は、ブラシを固定し、フィルターを稼動させるようにすることで前後方向の厚み（奥行き）を少なくし軽量化、省スペース化するものである。
【図面の簡単な説明】
【図１】  本発明の一実施例を示す集塵装置の斜視図
【図２】  同一実施例の集塵装置を取り付けた時の空気調和機の断面図
【図３】  集塵装置のブラシの取付け角度を変えて取り付けた時の空気調和機の断面図
【図４】  ごみ回収ボックスを取り付けた時の空気調和機の断面図
【図５】  ブラシを回転ブラシにした時の集塵装置の斜視図
【図６】  可動フィルターに巻き取り装置を取り付けた時のフィルターの平面図
【図７】  本発明の他の実施例を示す集塵装置の斜視図
【符号の説明】
１ａ，１ｂ  集塵装置
２ａ，２ｂ  ブラシ
２ｃ  回転ブラシ
３  駆動モータ
４  レール
５  櫛
６  フィルター
７  ボックス
８  可動フィルター
９  巻き取り装置
１０  固定ブラシ
１１  ガイド
【図１】
0004804607.tif 000002
【図２】
0004804607.tif 000003
【図３】
0004804607.tif 000004
【図４】
0004804607.tif 000005
【図５】
0004804607.tif 000006
【図６】
0004804607.tif 000007
【図７】
0004804607.tif 000008